(57)【要約】【課題】ドア内蔵センタピラーの基本断面における車幅方向の幅を大きく確保して、その耐力向上を図ると共に、側突時にフロントドア内のインパクトビーム後端の荷重を受けることもできる車両の側部構造の提供を目的とする。【解決手段】ドア内蔵センタピラー５０は、下部側になる程、前後幅が広く形成されており、側面部５０ｃは、インパクトビーム１８の後端内端部よりも車幅方向外方側に位置するベース側面部５０ｆと、上記インパクトビーム１８の後端内端部よりも車幅方向内方側に位置する第２の側面部５０ｈと有し、該第２の側面部５０ｈが上記ドア内蔵センタピラー５０下部の前部寄りに形成され、上記インパクトビーム１８後端を上記第２の側面部５０ｈに対して車両側面視でオーバラップさせたことを特徴とする。【選択図】図２
2020001426.tif 000002
【特許請求の範囲】
【請求項１】
観音開き式ドアのフロントドア内部に設けられたインパクトビームの後端を、リヤドア前端部に内蔵されて前面部と、後面部と、前後両面部の車外端同士を連結する側面部とから成るドア内蔵センタピラーに対して、車幅方向外方側に配設させつつ車両側面視でオーバラップさせた車両の側部構造であって、
上記ドア内蔵センタピラーは、下部側になる程、前後幅が広く形成されており、
上記側面部は、上記インパクトビームの後端内端部よりも車幅方向外方側に位置するベース側面部と、上記インパクトビームの後端内端部よりも車幅方向内方側に位置する第２の側面部とを有し、
該第２の側面部が上記ドア内蔵センタピラー下部の前部寄りに形成され、
上記インパクトビーム後端を上記第２の側面部に対して車両側面視でオーバラップさせたことを特徴とする
車両の側部構造。
【請求項２】
上記第２の側面部は上方に向かうに従い前後幅が狭くなるよう形成された
請求項１に記載の車両の側部構造。
【請求項３】
上記リヤドアの前端ラインは、その上方が後傾となるよう傾斜しており、
上記ドア内蔵センタピラーの前端は、リヤドア前端ラインの後傾形状に沿って傾斜しており、
上記ベース側面部はベルトライン部よりも下方が略同じ前後幅に形成され、
上記第２の側面部は車両側面視で上記ベルトライン部の下部を頂部とする三角形状に形成された
請求項２に記載の車両の側部構造。
【請求項４】
上記インパクトビームはその後端が車両側面視で上記ドア内蔵センタピラーの下端部およびサイドシルとオーバラップするよう配置された
請求項１〜３の何れか一項に記載の車両の側部構造。
【請求項５】
上記ドア内蔵センタピラーの第２の側面部の外面と、上記サイドシルを補強するサイドシルレインの外面との車幅方向位置が略同じ位置になるよう構成された
請求項４に記載の車両の側部構造。
【発明の詳細な説明】
【技術分野】
【０００１】
この発明は、観音開き式ドアのフロントドア内部に設けられたインパクトビームの後端を、リヤドア前端部に内蔵されて前面部と、後面部と、前後両面部の車外端同士を連結する側面部とから成るドア内蔵センタピラーに対して、車両側面視でオーバラップさせた車両の側部構造に関する。
【背景技術】
【０００２】
一般に、フロントドアとリヤドアとを観音開き構造と成した観音開き式のドアが知られている。  
このような観音開き式のドアを採用する場合、車体には、ルーフサイドレールとサイドシルとを上下方向に連結する強度部材としてのセンタピラーが設けられないので、例えば、特許文献１に開示されているように、リヤドア内にその上端から下端に渡るハット断面形状のバーチカルレイン（ドア内蔵センタピラー）を設けた構造が知られている。
【０００３】
上記特許文献１には、観音開き式ドアのフロントドア内に設けられたインパクトビームの後端を、リヤドア前端部に内蔵されたバーチカルレインに対して、車両側面視でオーバラップさせており、側突時にフロントドア内のインパクトビームの後端からの側突荷重も受けるよう構成したものである。  
しかしながら、車両側突時におけるバーチカルレイン（ドア内蔵センタピラー）の耐力向上の観点から、当該バーチカルレインの車幅方向の幅を広くするという点で、改善の余地があった。
【先行技術文献】
【特許文献】
【０００４】
【特許文献１】特開２００３−０２５８４８号公報
【発明の概要】
【発明が解決しようとする課題】
【０００５】
そこで、この発明は、ドア内蔵センタピラーの基本断面における車幅方向の幅を大きく確保して、その耐力向上を図ると共に、側突時にフロントドア内のインパクトビーム後端の荷重を受けることもできる車両の側部構造の提供を目的とする。
【課題を解決するための手段】
【０００６】
この発明による車両の側部構造は、観音開き式ドアのフロントドア内部に設けられたインパクトビームの後端を、リヤドア前端部に内蔵されて前面部と、後面部と、前後両面部の車外端同士を連結する側面部とから成るドア内蔵センタピラーに対して、車幅方向外方側に配設させつつ車両側面視でオーバラップさせた車両の側部構造であって、上記ドア内蔵センタピラーは、下部側になる程、前後幅が広く形成されており、上記側面部は、上記インパクトビームの後端内端部よりも車幅方向外方側に位置するベース側面部と、上記インパクトビームの後端内端部よりも車幅方向内方側に位置する第２の側面部とを有し、該第２の側面部が上記ドア内蔵センタピラー下部の前部寄りに形成され、上記インパクトビーム後端を上記第２の側面部に対して車両側面視でオーバラップさせたものである。
【０００７】
上記構成によればドア内蔵センタピラーのベース側面部は、フロントドア内のインパクトビームにおける後端内端部よりも車幅方向外方側に位置するので、ドア内蔵センタピラーの基本断面における車幅方向の幅を大きく確保して、ドア内蔵センタピラーの耐力向上を図ることができる。  
また、上述のインパクトビーム後端を第２の側面部に対して車両側面視でオーバラップさせたので、側突時にフロントドア内のインパクトビーム後端の荷重を受けることができる。
【０００８】
要するに、ドア内蔵センタピラーの基本断面幅の維持と、側突時におけるインパクトビームからの側突荷重の受け止めと、の両立を図ることができる。  
この発明の一実施態様においては、上記第２の側面部は上方に向かうに従い前後幅が狭くなるよう形成されたものである。
【０００９】
上記構成によれば、第２の側面部により側突時のインパクトビームからの荷重受け面を確保し、当該第２の側面部を上方に向かうに従い前後幅を狭くすることで、剛性の急変による応力集中を回避し、第２の側面部の剛性を上方に向かうに従い漸減変化させることができる。
【００１０】
この発明の一実施態様においては、上記リヤドアの前端ラインは、その上方が後傾となるよう傾斜しており、上記ドア内蔵センタピラーの前端は、リヤドア前端ラインの後傾形状に沿って傾斜しており、上記ベース側面部はベルトライン部よりも下方が略同じ前後幅に形成され、上記第２の側面部は車両側面視で上記ベルトライン部の下部を頂部とする三角形状に形成されたものである。
【００１１】
上記構成によれば、ベース側面部のベルトライン部よりも下方の前後幅を略一定に維持させつつ、第２の側面部の面積を確保することができる。  
この発明の一実施態様においては、上記インパクトビームはその後端が車両側面視で上記ドア内蔵センタピラーの下端部およびサイドシルとオーバラップするよう配置されたものである。
【００１２】
上記構成によれば、インパクトビーム後端からの側突荷重を、上述のドア内蔵センタピラーとサイドシルとに分散して伝達することができる。  
この発明の一実施態様においては、上記ドア内蔵センタピラーの第２の側面部の外面と、上記サイドシルを補強するサイドシルレインの外面との車幅方向位置が略同じ位置になるよう構成されたものである。
【００１３】
上記構成によれば、側突時に上記インパクトビーム後端からの側突荷重を、ドア内蔵センタピラーの第２の側面部と、サイドシルレインとに同じタイミングで荷重入力することができ、側突荷重の荷重分散向上を図ることができる。
【発明の効果】
【００１４】
この発明によれば、ドア内蔵センタピラーの基本断面における車幅方向の幅を大きく確保して、その耐力向上を図ると共に、側突時にフロントドア内のインパクトビーム後端の荷重を受けることもできる効果がある。
【図面の簡単な説明】
【００１５】
【図１】本発明の車両の側部構造を示す車両右側の側面図
【図２】ドアアウタパネルを取外した状態で示す車両右側の側面図
【図３】フロントドアを取付けた状態で示す車両右側の側面図
【図４】ドアアウタパネルを取外した状態で示すリヤドアの斜視図
【図５】ドア内蔵センタピラー、上部レイン、インパクトビームを車幅方向内側から見た状態で示す側面図
【図６】上部レインを車幅方向内側前方から見た状態で示す斜視図
【図７】図３のＡ−Ａ線に沿う要部の矢視断面図
【図８】図３のＢ−Ｂ線に沿う要部の矢視断面図
【図９】図３のＣ−Ｃ線に沿う要部の矢視断面図
【図１０】図３のＤ−Ｄ線に沿う要部の矢視断面図
【図１１】図３のＥ−Ｅ線に沿う要部の矢視断面図
【図１２】ドア内蔵センタピラーの潰れ状態を示す説明図
【発明を実施するための形態】
【００１６】
ドア内蔵センタピラーの基本断面における車幅方向の幅を大きく確保して、その耐力向上を図ると共に、側突時にフロントドア内のインパクトビーム後端の荷重を受けることもできるという目的を、観音開き式ドアのフロントドア内部に設けられたインパクトビームの後端を、リヤドア前端部に内蔵されて前面部と、後面部と、前後両面部の車外端同士を連結する側面部とから成るドア内蔵センタピラーに対して、車幅方向外方側に配設させつつ車両側面視でオーバラップさせた車両の側部構造において、上記ドア内蔵センタピラーは、下部側になる程、前後幅が広く形成されており、上記側面部は、上記インパクトビームの後端内端部よりも車幅方向外方側に位置するベース側面部と、上記インパクトビームの後端内端部よりも車幅方向内方側に位置する第２の側面部とを有し、該第２の側面部が上記ドア内蔵センタピラー下部の前部寄りに形成され、上記インパクトビーム後端を上記第２の側面部に対して車両側面視でオーバラップさせるという構成にて実現した。
【実施例】
【００１７】
この発明の一実施例を以下図面に基づいて詳述する。  
図面は車両の側部構造を示し、図１は当該側部構造を示す車両右側の側面図（但し、図１ではフロントドアを取外した状態で示す）、図２はリヤドアのドアアウタパネルを取外した状態で示す車両右側の側面図、図３はフロントドアを取付けた状態で示す車両右側の側面図（但し、図３ではフロントドアのドアアウタパネルを取外した状態で示す）、図４はドアアウタパネルおよびラッチ取付けプレートを取外した状態で示すリヤドアの斜視図、図５はドア内蔵センタピラー、上部レイン、インパクトビームを車幅方向内側から見た状態で示す側面図、図６は上部レインを車幅方向内側前方から見た状態で示す斜視図である。
【００１８】
また、図７は図３のＡ−Ａ線に沿う要部の矢視断面図、図８は図３のＢ−Ｂ線に沿う要部の矢視断面図、図９は図３のＣ-Ｃ線に沿う要部の矢視断面図、図１０は図３のＤ−Ｄ線に沿う要部の矢視断面図、図１１は図３のＥ−Ｅ線に沿う要部の矢視断面図である。  
なお、以下の実施例においては、車両右側の構成について述べるが、車両左側の構成は車幅右側のそれと左右対称または左右略対称に構成されている。
【００１９】
＜前提構造＞
図１、図２に示すように、車体上部において前後方向に延びるルーフサイドレール１と、車体後方部において上下方向に延びるリヤピラー２と、該リヤピラー２と連続して下方に延びるリヤボディ３と、車体下部において前後方向に延びるサイドシル４と、図示しない車両前側のヒンジピラーおよびフロントピラーとで囲繞されセンタピラーを有さないドア開口部５が車体側部に形成されている。  
なお、上述のルーフサイドレール１、リヤピラー２、サイドシル４、車両前側のヒンジピラー、フロントピラーは何れも閉断面構造に形成された車体強度部材である。
【００２０】
上述のドア開口部５は、車両前側のヒンジピラー（図示せず）に上下一対のドアヒンジを介して開閉可能に取付けられたフロントドア１０（図３参照）と、リヤボディ３に上下一対のドアヒンジを介して開閉可能に取付けられたリヤドア３０とで開閉されると共に、フロントドア１０とリヤドア３０とで観音開き式ドアが構成されている。
【００２１】
すなわち、観音開き式ドアは、フロントドア１０がその前端部のドアヒンジを支点として開閉し、リヤドア３０がその後端部のドアヒンジを支点として開閉し、両ドア１０，３０の開時には、前席乗員乗降用の開口と、後席乗員乗降用の開口との間に仕切のないドア開口部５が形成されるものである。
【００２２】
一方で、上述のサイドシル４は、図７、図８に示すように、サイドシルインナ６と、サイドシルアウタ７と、サイドシルレイン８（詳しくは、サイドシルレインフォースメント）とを備え、車両前後方向に延びるサイドシル閉断面９を有する車体剛性部材であり、左右一対のサイドシル４，４（但し、図面では、車両右側のサイドシル４のみを示す）におけるサイドシルインナ６，６間には、車室の床面を形成するフロアパネル２０が張架されている。
【００２３】
＜フロントドアの構成＞
上述のドア開口部５の前側を開閉するフロントドア１０は、図３、図７、図９、図１０、図１１に示すように、ドアインナパネル１１とドアアウタパネル１２とをヘミング加工にて一体化したもので、図３、図９、図１０に示すように、ドアインナパネル１１の上側後部にはレインフォースメント１３を介してガラスガイド１４が取付けられている。
【００２４】
また、図３に示すように、ドアインナパネル１１のベルトライン部ＢＬには、当該ベルトライン部ＢＬに沿って前後方向に延びるベルトラインレインフォースメント１５を取付けている。さらに、同図に示すように、ドアインナパネル１１の後縁部段下げ部１１ａと、前側の段下げ部（図示せず）との間には複数のインパクトビーム１６，１７，１８を張架している。
【００２５】
ここで、複数のインパクトビーム１６，１７，１８のうち、上側のインパクトビーム１６はベルトライン部ＢＬに沿って車両前後方向に延びており、上下方向中間部のインパクトビーム１７は後縁部段下げ部１１ａから前上方向に延びており、下側のインパクトビーム１８も後縁部段下げ部１１ａから前上方向に延びている。
【００２６】
図７、図１１に示すように、下側のインパクトビーム１８の後部と、ドアインナパネル１１における後縁部段下げ部１１ａとの間には、メッキ鋼板製のジャンクションプレート１９が介設されている。このジャンクションプレート１９は車両側突時に下側のインパクトビーム１８が口開き変形するのを防止すると共に、錆による浸蝕を防止するプレートであり、このジャンクションプレート１９とインパクトビーム１８とで、当該ジャンクションプレート１９の前後方向の長さに相当する部分的な閉断面が形成されている。
【００２７】
＜リヤドアの構成＞
ところで、上述のドア開口部５の後側を開閉するリヤドア３０は、図７〜図１１に示すように、ドアインナパネル３１とドアアウタパネル３２とをヘミング加工等により一体化したもので、図１に示すように、これら両パネル３１，３２によりドア本体部３０Ｍと、当該ドア本体部３０Ｍに対して車幅方向の幅が狭いドアサッシュ部３０Ｓとが一体形成されている。  
図２、図３、図４に示すように、上述のドアインナパネル３１には、複数の開口部３３，３４，３５，３６が開口形成されている。
【００２８】
これら複数の開口部３３〜３６のうち、前側下部に位置する開口部３３は、ドアラッチ組付け用の開口部であり、後側上部に位置する開口部３４はドアウインドガラス嵌込み用の開口部であり、他の開口部３５，３６は軽量化用の開口部である。
【００２９】
図１、図２、図４に示すように、リヤドア３０の前端ライン３０ＦＬは車両側面視で略直線状に形成されると共に、その上方が後傾となるように前低後高状に傾斜している。一方、リヤドア３０におけるドア本体部３０Ｍの後端部において上述のドアインナパネル３１には上下方向に延びるヒンジレインフォースメント３７を設けている。
【００３０】
また、図８に示すように、ドア下面部としてのドアインナパネル３１の下面部３１ａには、補強レインとしてのラッチ取付けプレート３８が設けられている。同図に示すように、当該ラッチ取付けプレート３８は車幅方向に延びる主面部３８ａと、該主面部３８ａの車幅方向内端から上方に延びる上片部３８ｂと、上記主面部３８ａの車幅方向外端から下方に延びる下片部３８ｃと、を一体形成した強度部材である。
【００３１】
そして、上述のラッチ取付けプレート３８の主面部３８ａ上面には、図１１に示すベースプレート３９を介してラッチユニット４０（図８参照）が取付けられる。なお、図１１において、４１はストライカ、４２はピン、４３はピン受けである。
【００３２】
＜ドア内蔵センタピラーとその周辺構造＞
図２、図３に示すように、リヤドア３０内の前端部には、その上端から下端まで上下方向に延びる超高張力鋼板製のドア内蔵センタピラー５０（以下、単にセンタピラー５０と略記する）が設けられており、図８に示すように、当該センタピラー５０の前後方向中間下端部（詳しくは、後述するベース側面部最下端部５０ｋ）がラッチ取付けプレート３８の下片部３８ｃおよびドアインナパネル３１の下部に接合固定されている。  
図２、図４に示すように、このセンタピラー５０の前端は、車両側面視で略直線状に形成されると共に、リヤドア３０の前端ライン３０ＦＬの後傾形状に沿って傾斜している。
【００３３】
図９、図１０に示すように、この実施例では上述のセンタピラー５０はリヤドア３０内の前寄りの位置において、当該センタピラー５０の前端とドアインナパネル３１の前端とが略一致するように配置されている。
【００３４】
また、図９〜図１１に示すように、上述のセンタピラー５０は、車幅方向に延びる前面部５０ａと、車幅方向に延びる後面部５０ｂと、車両前後方向に延びて上記前後両面部の車外端同士を連結する側面部５０ｃとを有し、車幅方向内側が開放する平面視でハット断面形状に形成されており、上述の前面部５０ａおよび後面部５０ｂの車幅方向内端部には当該内端部から車両前後方向に延びるフランジ部５０ｄ，５０ｅが一体形成されている。
【００３５】
ここで、上述の側面部５０ｃは、図１１に示すように、ベース側面部５０ｆと、このベース側面部５０ｆに略車幅方向に延びる中間前面部５０ｇを介して一体形成され前後方向に延びる第２の側面部５０ｈとから形成されている。なお、ベース側面部５０ｆ、第２の側面部５０ｈの詳細構造については後述する。
【００３６】
図１０に示すように、上述の前後の各フランジ部５０ｄ，５０ｅはドアインナパネル３１に接合されており、センタピラー５０とドアインナパネル３１との間には、上下方向に延びるセンタピラー閉断面５１が形成されている。
【００３７】
図３のＣ-Ｃ線矢視断面図である図９に示すように、ドアサッシュ部３０Ｓにおけるドアインナパネル３１と、センタピラー５０の後側のフランジ部５０ｅとの間には、レインフォースメント５２が介設されている。
【００３８】
図２、図３、図５に示すように、リヤドア３０内部のベルトライン部ＢＬよりも下方側（つまり、ドア本体部３０Ｍ側）において、ドア後端部に位置するヒンジレインフォースメント３７と、センタピラー５０のベース側面部５０ｆの後部とを接続する複数のインパクトビーム４４，４５が設けられている。
【００３９】
ここで、上記複数のインパクトビーム４４，４５のうち、上側のインパクトビーム４４は、ヒンジレインフォースメント３７の上部寄りの位置からセンタピラー５０のベース側面部５０ｆに向けて前下に延びており、下側のインパクトビーム４５は、ヒンジレインフォースメント３７の下端部からセンタピラー５０のベース側面部５０ｆに向けて前上に延びており、上下の両インパクトビーム４４，４５の配設位置および傾斜方向を異ならせることで、リヤドア３０のドア本体部３０Ｍの広範囲に渡って側突荷重を受け止めるよう構成したものである。
【００４０】
図２、図５に示すように、上述のベルトライン部ＢＬの上部位置でセンタピラー５０の前部または後部の一方（この実施例では後部）を屈曲させて屈曲部５３を形成し、この屈曲部５３よりも上方側（ドアサッシュ部３０Ｓに対応する部分）のセンタピラー５０の前後幅を、屈曲部５３よりも下方側（ドア本体部３０Ｍに対応する部分）のセンタピラー５０の前後幅と比較して細く形成し、当該センタピラー５０の屈曲部５３よりも上方側の部位に隣接してシートベルトのアンカアジャスタ５４を設けている。
【００４１】
図９に示すように、上述のアンカアジャスタ５４はドアインナパネル３１の車室側の面（車幅方向内側の面）に設けられるもので、同図に示すように、予めナット５５が溶接固定された上下一対のブラケット５６を、ドアインナパネル３１のドア内部空間側の面（車幅方向外側の面）に溶接接合し、上述のナット５５（つまりウエルドナット）に車室内側から締結するボルト５７を用いて、アンカアジャスタ５４がドアインナパネル３１に取付けられたものである。
【００４２】
図９、図１０に示すように、上述のセンタピラー５０の後端（すなわち、後側のフランジ部５０ｅ）はドアインナパネル３１にのみ接合される一方、センタピラー５０の前端（すなわち、前側のフランジ部５０ｄ）は、その上部から下部の上下方向略全長に渡ってドアアウタパネル３２とドアインナパネル３１とに接合され、これら各要素３１，３２，５０の３枚溶接を達成し、かつ、上述の屈曲部５３はセンタピラー５０の後部側に形成されたものであり、上述のアンカアジャスタ５４はセンタピラー５０の後部側に隣接配置されている。
【００４３】
図１１に示すように、フロントドア１０内部に設けられた下側のインパクトビーム１８の後端は、リヤドア３０内のセンタピラー５０（詳しくは、その第２の側面部５０ｈ）に対して車両側面視でオーバラップさせている。  
図２、図３、図５に示すように、当該センタピラー５０は、下部側になる程、その前後幅が連続して漸次広くなるよう形成されている。
【００４４】
また、図１１に示すように、上記センタピラー５０の側面部５０ｃは、インパクトビーム１８の後端内端部１８ａよりも車幅方向外方側に位置するベース側面部５０ｆと、インパクトビーム１８の後端内端部１８ａよりも車幅方向内方側に位置する第２の側面部５０ｈと、を有しており、これらベース側面部５０ｆおよび第２の側面部５０ｈは前後方向に延びるように形成されると共に、当該第２の側面部５０ｈがセンタピラー５０下部の前部寄りに形成されていて、上記インパクトビーム１８の後端は、図１１に示すように、第２の側面部５０ｈに対して車両側面視でオーバラップさせたものである。
【００４５】
このように、センタピラー５０のベース側面部５０ｆを、インパクトビーム１８の後端内端部１８ａよりも車幅方向外方側に位置させて、センタピラー５０の基本断面（図９、図１０で示したセンタピラー閉断面５１参照）の車幅方向の幅を大きく確保し、かつ、フロントドア１０内のインパクトビーム１８後端を第２の側面部５０ｈとオーバラップさせて、側突時にフロントドア１０内のインパクトビーム１８からの荷重を上記第２の側面部５０ｈにて受け止めるよう構成したものである。
【００４６】
図２、図４、図５に示すように、上述の第２の側面部５０ｈは上方に向かうに従いその前後幅が連続して漸次狭くなるよう形成されており、これにより当該第２の側面部５０ｈによる荷重受け面の確保と、剛性の急変による応力集中を回避すべく構成したものである。
【００４７】
因に、上述の第２の側面部５０ｈを、フロントドア１０内のインパクトビーム１８後端とオーバラップする部位にのみ形成する比較構造も考えられるが、この場合には、第２の側面部５０ｈが形成された部位と、第２の側面部５０ｈが形成されていない部位との境界部においてセンタピラー５０の剛性が急変し、これに起因して応力が集中するので、これを回避するために、上記構造を採用したものである。
【００４８】
また、図２、図５に示すように、上述のベース側面部５０ｆはベルトライン部ＢＬよりも下方が略同じ前後幅に形成されており、第２の側面部５０ｈは車両側面視でベルトライン部ＢＬの下部を頂部とする上下方向に細長い三角形状に形成されている。これにより、ベース側面部５０ｆのベルトライン部ＢＬよりも下方の前後幅を略一定に保ちつつ、第２の側面部５０ｈの面積を確保すべく構成している。
【００４９】
図２、図７に示すように、フロントドア１０内のインパクトビーム１８はその後端が、車両側面視でセンタピラー５０の下端部、詳しくは、第２の側面部５０ｈの下端部と、サイドシル４とにオーバラップするよう配置されており、これにより、インパクトビーム１８後端からの側突荷重を、センタピラー５０とサイドシル４とに分散して伝達するよう構成している。
【００５０】
また、図７に示すように、センタピラー５０の第２の側面部５０ｈの外面と、サイドシル４を補強するサイドシルレイン８の外面との車幅方向位置が略同じ位置になるよう構成されており、これにより、側突時にインパクトビーム１８後端からの側突荷重を、閉断面構造のセンタピラー５０における第２の側面部５０ｈと、車体強度部材であるサイドシルレイン８とに同じタイミングで荷重入力し、当該側突荷重の荷重分散性能を向上すべく構成している。
【００５１】
＜上部レインとその周辺構造＞
ところで、図５、図６に示すように、センタピラー５０の上端部からベルトライン部ＢＬに渡って当該センタピラー５０の上記各面部（前面部５０ａ、後面部５０ｂ、ベース側面部５０ｆ参照）を一体で補強する上部レイン６０（いわゆる裏当て部材）が設けられており、これにより、センタピラー５０の上端部からベルトライン部ＢＬに渡るドアサッシュ部３０Ｓの上下を、当該上部レイン６０で補強し、ドア本体部３０Ｍに対して車幅方向の厚みが小さいドアサッシュ部３０Ｓの薄さによる剛性低下を、上部レイン６０にて補強し、リヤドア３０の上下間での剛性差をなくすよう構成したものである。
【００５２】
図５、図６、図９に示すように、この実施例では、上述の上部レイン６０はセンタピラー５０の車幅方向内側の面（つまり、センタピラー閉断面５１側の面）に当接接合されているが、当該上部レイン６０をセンタピラー５０の車幅方向外側の面に当接接合する構造を採用してもよい。
【００５３】
上述の上部レイン６０は当該上部レイン６０が当接されるセンタピラー５０の形状と対応すべく、車幅方向に延びる前面部６０ａと、車幅方向に延びる後面部６０ｂと、車両前後方向に延びて前後両面部の車外端同士を連結する側面部６０ｃとを有すると共に、側面部６０ｃの中間部、詳しくは、上下方向中間部および前後方向中間部には、開口部６０ｄが開口形成されている。また、後述するセンタピラー５０の補強ビード５９と対応すべく、開口部６０ｄの上下における側面部６０ｃには、上下方向に延びるビード部６０ｅ，６０ｆが一体形成されている。
【００５４】
図５、図６に示すように、上述の上部レイン６０はその下部から部分的にベルトライン部ＢＬよりも下方に延びる下方延出部６１を備えており、センタピラー５０のベルトライン部ＢＬにおいて上部レイン６０の存在の有無により、上下方向で剛性差が生じることを、当該下方延出部６１にて抑制すべく構成している。
【００５５】
図５に示すように、上述の下方延出部６１は、インパクトビーム４４，４５が接続された側であるセンタピラー５０のベース側面部５０ｆの後部から後面部５０ｂに渡る部位から、水平方向断面で略Ｌ字形状の断面構造を保って下方に延出されている。これにより、上述のインパクトビーム４４，４５を介して、より大きい側突荷重が作用するセンタピラー５０の後部側の補強向上を図るよう構成している。
【００５６】
また、この実施例では、図５に示すように、上部レイン６０の下方延出部６１は、上述の屈曲部５３が形成される側のベース側面部５０ｆから後面部５０ｂに渡る部位から、水平方向断面で略Ｌ字形状の断面構造を保って下方に延出されており、上部レイン６０にて前後幅が細いセンタピラー５０における屈曲部５３よりも上方側（ドアサッシュ部３０Ｓに対応する部分）の補強を行なうと共に、屈曲部５３が形成される側に下方延出部６１を設けることで、当該下方延出部６１にて屈曲部５３に対する補強をも行なうよう構成したものである。
【００５７】
＜センタピラー下部側の構造＞
一方、センタピラー５０の下方においては、図８で示したように、ドア下面部としてのドアインナパネル３１の下面部３１ａに、補強レインであるラッチ取付けプレート３８が取付けられており、センタピラー５０の下端直上には、その上部に対して剛性が低い低剛性部としての開口部５８がベース側面部５０ｆに設けられている。
【００５８】
このように、センタピラー５０下方のドア下面部に補強レインとしてのラッチ取付けプレート３８を設けることで、側突直後にドア下面部の変位を抑制しつつ、低剛性部である開口部５８を介してセンタピラー５０の下端直上を内側に変位させて、側突エネルギの吸収を図るよう構成したものである。  
また、低剛性部を開口部５８で形成することにより、当該開口部５８にて容易にセンタピラー５０の下端部近傍の剛性低下を図り、併せて、軽量化をも達成すべく構成している。
【００５９】
図８に示すように、センタピラー５０の内側のドア下面部としてのドアインナパネル３１の下面部３１ａには、ラッチ取付けプレート３８を介してラッチユニット４０が配設されており、上述の補強レインは当該ラッチ取付けプレート３８にて構成されると共に、上述の開口部５８はラッチユニット４０組付け時に当該ラッチユニット４０との干渉を回避する大きさに形成されている。
【００６０】
上述のラッチユニット４０は、図２、図３で示した開口部３３からドアインナパネル３１とセンタピラー５０との間の空間に挿入して、上述のラッチ取付けプレート３８に組付けられるが、この際、上記開口部５８をラッチユニット４０の組付け性の確保に有効利用して、ラッチユニット４０とセンタピラー５０とが干渉することを回避できると共に、当該ラッチ取付けプレート３８を補強レインとして有効利用することで、別途補強部材を設ける必要がなくなるように構成したものである。
【００６１】
＜補強ビートの構成＞
図２、図４に示すように、センタピラー５０のベース側面部５０ｆにおける前後方向の中間部には、上述の開口部５８の直上位置からセンタピラー上端まで上下方向に延び、かつ、車幅方向内側に凹む補強ビード５９が上下方向に連続して一体形成されている。
【００６２】
上述の補強ビード５９の形成によりセンタピラー５０の剛性向上を図り、開口部５８の変位に連動してセンタピラー５０の上部側が不所望に変位することを抑制し、さらには、センタピラー５０の潰れ時には、その倒れ変位を防止して、安定した潰れ変位を確保するよう構成したものである。
【００６３】
図１２はセンタピラー５０の潰れ状態を示す説明図であって、補強ビード５９が存在しない場合には、側突荷重入力時にセンタピラーは、図１２に仮想線βで示すように倒れ変位するが、ベース側面部５０ｆに上下方向に延びる上述の補強ビード５９を形成すると、当該ベース側面部５０ｆの剛性および側突耐力が向上するので、側突荷重入力時にセンタピラー５０は、図１２に仮想線αで示すように、安定した潰れ変位となり、補強ビード５９が存在しない構造と比較して、衝撃吸収エネルギの増大を図ることができる。
【００６４】
＜センタピラー下部側の構造＞
また、図２、図５に示すように、センタピラー５０の下端前後両部には、低剛性部となる非フランジ部５０ｉ，５０ｊ（フランジ部を形成しない所謂ノーフランジ部）が形成されている。そして、図８に示すように、ドアインナパネル３１の下端とは、開口部５８直下におけるベース側面部５０ｆの最下端部５０ｋのみが接合されている。
【００６５】
図８に示すように、上述のベース側面部５０ｆの最下端部５０ｋは、補強レインであるラッチ取付けプレート３８の下片部３８ｃを介してドアインナパネル３１の下端と接合（最下端部５０ｋと下片部３８ｃとドアインナパネル３１との３枚溶接固定）されたものであり、ベース側面部５０ｆの最下端部５０ｋの剛性を確保している。
【００６６】
上述の如く、センタピラー５０の下端に非フランジ部５０ｉ，５０ｊを設けることで、センタピラー５０の下端部近傍の剛性低下を確保し、加えて、当該非フランジ部５０ｉ，５０ｊにて軽量化をも達成するよう構成したものである。
【００６７】
図４、図５に示すように、センタピラー５０の下部乃至下端部の前部には、側面部５０ｃにおけるベース側面部５０ｆから車室内側に後退する第２の側面部５０ｈが形成されており、図２に仮想線で示すように、フロントドア１０内部に設けられたインパクトビーム１８の後端部が、車両側面視で上述の第２の側面部５０ｈ下部とオーバラップしており、このオーバラップした部位に上述の非フランジ部５０ｉが形成されている。
【００６８】
これにより、側突時に上述のインパクトビーム１８からの荷重は、第２の側面部５０ｈの下部を介して確実に受け止めつつ、非フランジ部５０ｉにて低剛性部を形成することで、側突時にセンタピラー５０の下端部の前側をドア内側に変位させるよう構成したものである。
【００６９】
なお、図１〜図３において、２１は後輪ホイールハウスである。また、図中、矢印Ｆは車両前方を示し、矢印Ｒは車両後方を示し、矢印ＩＮは車幅方向の内方を示し、矢印ＯＵＴは車幅方向の外方を示し、矢印ＵＰは車両上方を示す。
【００７０】
このように、上記実施例の車両の側部構造は、観音開き式ドアのフロントドア１０内部に設けられたインパクトビーム１８の後端を、リヤドア３０前端部に内蔵されて前面部５０ａと、後面部５０ｂと、前後両面部の車外端同士を連結する側面部５０ｃとから成るドア内蔵センタピラー５０に対して、車幅方向外方側に配設させつつ車両側面視でオーバラップさせた車両の側部構造であって、上記ドア内蔵センタピラー５０は、下部側になる程、前後幅が広く形成されており、上記側面部５０ｃは、上記インパクトビーム１８の後端内端部１８ａよりも車幅方向外方側に位置するベース側面部５０ｆと、上記インパクトビーム１８の後端内端部１８ａよりも車幅方向内方側に位置する第２の側面部５０ｈとを有し、該第２の側面部５０ｈが上記ドア内蔵センタピラー５０下部の前部寄りに形成され、上記インパクトビーム１８後端を上記第２の側面部５０ｈに対して車両側面視でオーバラップさせたものである（図２、図７、図１１参照）。
【００７１】
この構成によればドア内蔵センタピラー５０のベース側面部５０ｆは、フロントドア１０内のインパクトビーム１８における後端内端部１８ａよりも車幅方向外方側に位置するので、ドア内蔵センタピラー５０の基本断面における車幅方向の幅を大きく確保して、センタピラー５０の全体の閉断面も大きく確保しつつ、その耐力向上を図ることができる。  
また、上述のインパクトビーム１８後端を第２の側面部５０ｈに対して車両側面視でオーバラップさせたので、側突時にフロントドア１０内のインパクトビーム１８後端の荷重を受けることができる。
【００７２】
要するに、ドア内蔵センタピラー５０の基本断面幅の維持と、側突時におけるインパクトビーム１８からの側突荷重の受け止めと、の両立を図ることができる。  
また、この発明の一実施形態においては、上記第２の側面部５０ｈは上方に向かうに従い前後幅が狭くなるよう形成されたものである（図２、図５参照）。
【００７３】
この構成によれば、第２の側面部５０ｈにより側突時のフロントドア１０内のインパクトビーム１８からの荷重受け面を確保しつつ、当該第２の側面部５０ｈを上方に向かうに従い前後幅を狭くすることで、剛性の急変による応力集中を回避し、第２の側面部５０ｈの剛性を上方に向かうに従い漸減変化させることができる。
【００７４】
さらに、この発明の一実施形態においては、上記リヤドア３０の前端ライン３０ＦＬは、その上方が後傾となるよう傾斜しており、上記ドア内蔵センタピラー５０の前端は、リヤドア３０の前端ライン３０ＦＬの後傾形状に沿って傾斜しており、上記ベース側面部５０ｆはベルトライン部ＢＬよりも下方が略同じ前後幅に形成され、上記第２の側面部５０ｈは車両側面視で上記ベルトライン部ＢＬの下部を頂部とする三角形状に形成されたものである（図１、図２、図５参照）。
【００７５】
この構成によれば、ベース側面部５０ｆのベルトライン部ＢＬよりも下方の前後幅を一定長さに維持させつつ、第２の側面部の面積を確保することができる。  
さらにまた、この発明の一実施形態においては、上記インパクトビーム１８はその後端が車両側面視で上記ドア内蔵センタピラー５０の下端部およびサイドシル４とオーバラップするよう配置されたものである（図７参照）。
【００７６】
この構成によれば、インパクトビーム１８後端からの側突荷重を、上述のドア内蔵センタピラー５０とサイドシル４とに分散して伝達することができる。  
加えて、この発明の一実施形態においては、上記ドア内蔵センタピラー５０の第２の側面部５０ｈの外面と、上記サイドシル４を補強するサイドシルレイン８の外面との車幅方向位置が略同じ位置になるよう構成されたものである（図７参照）。
【００７７】
この構成によれば、側突時に上記インパクトビーム１８後端からの側突荷重を、ドア内蔵センタピラー５０の第２の側面部５０ｈと、サイドシルレイン８とに同じタイミングで荷重入力することができ、側突荷重の荷重分散向上を図ることができる。
【００７８】
この発明の構成と、上述の実施例との対応において、
この発明のドア内蔵センタピラーは、実施例のセンタピラー５０に対応するも、
この発明は、上述の実施例の構成のみに限定されるものではない。
【産業上の利用可能性】
【００７９】
以上説明したように、本発明は、観音開き式ドアのフロントドア内部に設けられたインパクトビームの後端を、リヤドア前端部に内蔵されて前面部と、後面部と、前後両面部の車外端同士を連結する側面部とから成るドア内蔵センタピラーに対して、車両側面視でオーバラップさせた車両の側部構造について有用である。
【符号の説明】
【００８０】
４…サイドシル
８…サイドシルレイン
１０…フロントドア
１８…インパクトビーム
１８ａ…後端内縁部
３０…リヤドア
３０ＦＬ…前端ライン
５０…センタピラー（ドア内蔵センタピラー）
５０ａ…前面部
５０ｂ…後面部
５０ｃ…側面部
５０ｆ…ベース側面部
５０ｈ…第２の側面部
ＢＬ…ベルトライン部
【図１】
2020001426.tif 000003
【図２】
2020001426.tif 000004
【図３】
2020001426.tif 000005
【図４】
2020001426.tif 000006
【図５】
2020001426.tif 000007
【図６】
2020001426.tif 000008
【図７】
2020001426.tif 000009
【図８】
2020001426.tif 000010
【図９】
2020001426.tif 000011
【図１０】
2020001426.tif 000012
【図１１】
2020001426.tif 000013
【図１２】
2020001426.tif 000014